(57)【要約】【課題】光源装置の交換作業の簡素化、小型化が図れるプロジェクターを提供する。【解決手段】プロジェクター１は、光源および入力端子３１４を有する光源装置３１と、光源装置３１が収納される光学部品用筐体３７と、光学部品用筐体３７に配置され、光源装置３１に電力を供給するために入力端子３１４と接続される出力端子４１と、光源装置３１、および光学部品用筐体３７を内部に収納し、光源装置３１が着脱される交換用開口部８を有する外装筐体２と、交換用開口部８を閉塞する蓋ユニット５と、を備える。蓋ユニット５は、入力端子３１４と出力端子４１とが接続される力より強い力で光源装置３１を付勢する付勢部材１０と、光源装置３１を付勢する付勢部材１０の付勢力に抗して外装筐体２に係合される蓋体９と、を備えている。【選択図】図５
2012173597.tif 000002
【特許請求の範囲】
【請求項１】
光源および入力端子を有する光源装置と、
前記光源装置が収納される光学部品用筐体と、
前記光学部品用筐体に配置され、前記光源装置に電力を供給するために前記入力端子と接続される出力端子と、
前記光源装置、および前記光学部品用筐体を内部に収納し、前記光源装置が着脱される開口部を有する外装筐体と、
前記開口部を閉塞する蓋ユニットと、
を備え、
前記蓋ユニットは、
前記入力端子と前記出力端子とが接続される力より強い力で前記光源装置を付勢する付勢部材と、
前記光源装置を付勢する前記付勢部材の付勢力に抗して前記外装筐体に係合される蓋体と、
を備えていることを特徴とするプロジェクター。
【請求項２】
請求項１に記載のプロジェクターであって、
前記付勢部材は、板状に形成され、
前記光源装置に当接する基部と、
前記基部の両端から延出する一対の腕部と、
一方の前記腕部の端部から延出し、前記蓋体に固定される第１の脚部と、
他方の前記腕部の端部から延出し、前記蓋体に当接可能な第２の脚部と、
を備えていることを特徴とするプロジェクター。
【請求項３】
請求項１または請求項２に記載のプロジェクターであって、
前記蓋体は、前記付勢部材の付勢力によって前記光源装置の着脱方向に対して傾斜する前記光源装置に当接し、前記着脱方向に対する前記光源装置の傾斜角度を規制する規制用突起部を有していることを特徴とするプロジェクター。
【請求項４】
請求項３に記載のプロジェクターであって、
前記付勢部材および前記規制用突起部のいずれか一方は、前記光源装置を介して前記出力端子に対向する位置に設けられていることを特徴とするプロジェクター。
【請求項５】
請求項３または請求項４に記載のプロジェクターであって、
前記光学部品用筐体は、前記光源装置を位置決めする位置決め部を有し、
前記付勢部材および前記規制用突起部のいずれか一方は、前記光源装置を介して前記位置決め部に対向する位置に設けられていることを特徴とするプロジェクター。
【発明の詳細な説明】
【技術分野】
【０００１】
本発明は、プロジェクターに関する。
【背景技術】
【０００２】
従来、光源装置から射出された光束を画像情報に応じて変調し、変調した光をスクリーン等に拡大投写するプロジェクターが知られている。
このようなプロジェクターでは、使用時間の経過に伴って光源装置から射出される光束の明るさが低下するため、利用者が光源装置を交換可能とする構造が採用される。また、光源装置は、配設位置が適切でないと投写画像に支障をきたすため、光源装置をネジによって固定する構造が採用されている（例えば、特許文献１参照）。
特許文献１に記載のプロジェクターでは、光源装置に一対の固定部を設け、この固定部に固定用孔が形成されている。そして、特許文献１の光源装置は、この固定用孔にネジが挿通されて所定の位置に固定される。
【先行技術文献】
【特許文献】
【０００３】
【特許文献１】特開２００８−１７６１９９号公報
【発明の概要】
【発明が解決しようとする課題】
【０００４】
しかしながら、特許文献１に記載のプロジェクターでは、光源装置に一対の固定部を設けるスペースが必要となり、プロジェクターの小型化が阻害されてしまう。また、利用者が光源装置を交換した際に、ネジ締めすることを忘れ、光源装置が所定の位置に配置されず、投写画像に支障をきたす恐れがある。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源および入力端子を有する光源装置と、前記光源装置が収納される光学部品用筐体と、前記光学部品用筐体に配置され、前記光源装置に電力を供給するために前記入力端子と接続される出力端子と、前記光源装置、および前記光学部品用筐体を内部に収納し、前記光源装置が着脱される開口部を有する外装筐体と、前記開口部を閉塞する蓋ユニットと、を備え、前記蓋ユニットは、前記入力端子と前記出力端子とが接続される力より強い力で前記光源装置を付勢する付勢部材と、前記光源装置を付勢する前記付勢部材の付勢力に抗して前記外装筐体に係合される蓋体と、を備えていることを特徴とする。
【０００７】
本適用例によれば、蓋ユニットは、付勢部材を備え、外装筐体に係合されるように構成されている。また、付勢部材は、入力端子と出力端子とが接続される力より強い力で光源装置を付勢するように形成されている。これによって、光源装置を開口部から挿入した後、蓋ユニットでこの開口部を閉塞することで、蓋ユニットは、付勢部材が光源装置を付勢して入力端子と出力端子とを接続させ、蓋体が付勢部材の付勢力に抗して外装筐体に係合される。つまり、光源装置を開口部から挿入した後、蓋ユニットでこの開口部を閉塞すること、つまり蓋ユニットを外装筐体に装着することで、光源装置を光学部品用筐体の所定位置に配置させることが可能となる。よって、ネジによって光源装置を光学部品用筐体に固定した後、蓋部材を外装筐体に装着する構成に比べ、光源装置にネジ固定部を設ける必要がなく、プロジェクターの小型化が可能となる。
また、光源装置の交換作業の簡素化が可能となり、利便性の向上が図れると共に、ネジの締め忘れによる入力端子と出力端子との不安定な接続が抑制され、プロジェクターは、安定した投写が可能となる。
【０００８】
［適用例２］上記適用例に係るプロジェクターにおいて、前記付勢部材は、板状に形成され、前記光源装置に当接する基部と、前記基部の両端から延出する一対の腕部と、一方の前記腕部の端部から延出し、前記蓋体に固定される第１の脚部と、他方の前記腕部の端部から延出し、前記蓋体に当接可能な第２の脚部と、を備えていることが好ましい。
【０００９】
本適用例によれば、付勢部材は板状に形成され、光源装置に当接する基部を有し、基部の両側には、腕部および第１、第２の脚部が設けられている。そして、付勢部材は、第１の脚部が蓋体に固定されている。これによって、光源装置を開口部から挿入した後、蓋ユニットを外装筐体に装着すると、付勢部材は、基部が光源装置に当接し、その反力で第２の脚部が蓋体に当接して光源装置を付勢することとなる。よって、簡素な構成で付勢部材を形成し、光源装置を付勢することが可能となる。
また、付勢部材が光源装置を付勢することに伴う反力を第１の脚部および第２の脚部で受けることができるので、反力の分散が可能となり、蓋体は、変形が抑制される。よって、光源装置の位置を安定して維持することが可能となる。
【００１０】
［適用例３］上記適用例に係るプロジェクターにおいて、前記蓋体は、前記付勢部材の付勢力によって前記光源装置の着脱方向に対して傾斜する前記光源装置に当接し、前記着脱方向に対する前記光源装置の傾斜角度を規制する規制用突起部を有していることが好ましい。
【００１１】
本適用例によれば、蓋体には、規制用突起部が形成されているので、光源装置は、付勢部材に付勢されることによって着脱方向に対して傾斜した際にも、規制用突起部が当接し、それ以上の傾斜が規制される。よって、蓋ユニットによって光源装置をバランスよく押し、姿勢を安定させて確実に光学部品用筐体に収納させることが可能となる。
【００１２】
［適用例４］上記適用例に係るプロジェクターにおいて、前記付勢部材および前記規制用突起部のいずれか一方は、前記光源装置を介して前記出力端子に対向する位置に設けられていることが好ましい。
【００１３】
本適用例によれば、付勢部材および規制用突起部のいずれか一方は、光源装置を介して出力端子に対向する位置に設けられている。これによって、出力端子は、光源装置に加わる付勢部材からの付勢力の延長上、あるいは規制用突起部からの押圧力の延長上に位置することとなる。よって、光源装置が収納される際に、光源装置には、蓋ユニットに押される力が効率的に入力端子と出力端子とが接続される力として伝達される。したがって、蓋ユニットを装着する力を有効に利用して、入力端子と出力端子とを確実に接続させることが可能となる。
【００１４】
［適用例５］上記適用例に係るプロジェクターにおいて、前記光学部品用筐体は、前記光源装置を位置決めする位置決め部を有し、前記付勢部材および前記規制用突起部のいずれか一方は、前記光源装置を介して前記位置決め部に対向する位置に設けられていることが好ましい。
【００１５】
本適用例によれば、光学部品用筐体は、光源装置を位置決めする位置決め部を有し、付勢部材および規制用突起部のいずれか一方は、光源装置を介して位置決め部に対向する位置に設けられている。これによって、位置決め部は、光源装置に加わる付勢部材からの付勢力の延長上、あるいは規制用突起部からの押圧力の延長上に位置することとなる。よって、光源装置が収納される際に、光源装置には、蓋ユニットに押される力が効率的に位置決め部に位置決めされる力として伝達される。したがって、蓋ユニットを装着する力を有効に利用して光源装置を位置決め部に案内し、滑らかに光学部品用筐体の所定の位置に収納することが可能となる。
【図面の簡単な説明】
【００１６】
【図１】本実施形態のプロジェクターの外観を模式的に示す斜視図。
【図２】本実施形態のプロジェクターの概略構成を示す模式図。
【図３】本実施形態のアッパーケースの斜視図であり、交換用開口部近傍の図。
【図４】本実施形態の蓋ユニットを内面側から見た斜視図。
【図５】本実施形態における光源装置近傍のプロジェクターを模式的に示す断面図。
【発明を実施するための形態】
【００１７】
以下、本実施形態に係るプロジェクターについて、図面を参照して説明する。
本実施形態のプロジェクターは、光源装置から射出された光束を画像情報に応じて変調してスクリーン等に投写する。
〔プロジェクターの主な構成〕
図１は、本実施形態のプロジェクター１の外観を模式的に示す斜視図である。図２は、本実施形態のプロジェクター１の概略構成を示す模式図である。
プロジェクター１は、図１、図２に示すように、外装を構成する外装筐体２、制御部（図示省略）、光源装置３１を有する光学ユニット３、光源装置３１や制御部に電力を供給する電源装置４、およびプロジェクター１内部を冷却する冷却ファン等（図示省略）を備えている。なお、以下では、説明の便宜上、光源装置３１から光束が射出される方向を＋Ｘ方向、プロジェクター１から光が投写される方向を＋Ｙ方向（前方向）、Ｘ方向およびＹ方向に直交し、図１の図面視における上を＋Ｚ方向（上方向）として記載する。
【００１８】
外装筐体２は、合成樹脂製であり、図１に示すように、上部を構成するアッパーケース２１、下部を構成するロアーケース２２、蓋ユニット５等を備えている。
【００１９】
アッパーケース２１の前面２１Ａには、前方から見て略円形状の投写用開口部２１１が形成されており、この投写用開口部２１１の内側の外装筐体２内には、光学ユニット３に備えられた投写レンズ３６が配置されている。そして、投写レンズ３６から射出された光は、この投写用開口部２１１から前方に投写される。
【００２０】
アッパーケース２１の上面２１Ｂには、操作パネル２０が配置されている。操作パネル２０は、プロジェクター１の各種設定を行うためのメニュー画像の表示／非表示を切り替えるメニューキー、入力ソースを切り替えるソース切替えキー等、各種指示を行うための複数のキー等を備えている。
【００２１】
また、アッパーケース２１の上面２１Ｂの後方には、光源装置３１が着脱される開口部（交換用開口部８、図３参照）が形成され、この交換用開口部８は、蓋ユニット５によって閉塞される。
アッパーケース２１の−Ｘ側の側面２１Ｃには、光源装置３１の点灯に伴って温まった外装筐体２内の空気が排出される排気口（図示省略）が形成されている。
【００２２】
図１に示すように、アッパーケース２１の＋Ｘ側の側面２１Ｄには、複数の孔を有する吸気口２１３が形成されており、外装筐体２の内部は、この吸気口２１３から取り込まれた空気によって冷却される。また、吸気口２１３の内側には、図示しない防塵フィルターが配置されており、外気に混在する塵埃が外装筐体２の内部に侵入することが抑制されている。
また、図示は省略するが、アッパーケース２１の背面２１Ｅからは、映像信号等が入力される各種の端子が露出して配置されている。
【００２３】
蓋ユニット５は、交換用開口部８を閉塞するようにアッパーケース２１に装着される。また、蓋ユニット５は、交換用開口部８から挿入された光源装置３１を付勢して、光源装置３１を所定の位置に配置するように構成されている。なお、蓋ユニット５近傍の構造については、後で詳細に説明する。
【００２４】
制御部は、ＣＰＵ（Central Processing Unit）やＲＯＭ（Read Only Memory）、ＲＡＭ（Random Access Memory）等を備え、コンピューターとして機能するものであり、プロジェクター１の動作に関わる制御等を行う。
【００２５】
光学ユニット３は、制御部による制御の下、光源装置３１から射出された光束を光学的に処理して投写する。
光学ユニット３は、図２に示すように、光源装置３１に加え、インテグレーター照明光学系３２、色分離光学系３３、リレー光学系３４、電気光学装置３５、投写レンズ３６、および光学部品用筐体３７を備えている。
【００２６】
光源装置３１は、超高圧水銀ランプやメタルハライドランプ等からなる放電型の光源３１１、リフレクター３１２、平行化レンズ３１３、入力端子３１４、およびこれらの部材を収納する光源用筐体３１５を備え、光学部品用筐体３７に着脱可能に構成されている。光源装置３１は、光源３１１から射出された光束をリフレクター３１２にて反射した後、平行化レンズ３１３よって射出方向を揃え、インテグレーター照明光学系３２に向けて射出する。また、光源用筐体３１５の下面には、下方に突出する光学部品用筐体３７に対する位置決め用の突起部３１５１（図５参照）が設けられている。
【００２７】
入力端子３１４は、詳細な図は省略するが、２芯の接続部を有するコネクターとして構成され、この２芯の接続部のそれぞれの一端が図示しないケーブルを介して光源３１１に接続されている。そして、入力端子３１４は、２芯の接続部のそれぞれの他端が下方に露出して光源用筐体３１５に固定されている。
【００２８】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｌに対して略直交する面内にマトリクス状に配列される複数の小レンズを備えている。
【００２９】
第２レンズアレイ３２２は、第１レンズアレイ３２１と略同様の構成を有しており、重畳レンズ３２４とともに、第１レンズアレイ３２１から射出された部分光束を後述する液晶ライトバルブ３５１の表面に重畳させる。
偏光変換素子３２３は、第２レンズアレイ３２２から射出されたランダム偏光光を液晶ライトバルブ３５１で利用可能な略１種類の偏光光に揃える機能を有する。
【００３０】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００３１】
リレー光学系３４は、入射側レンズ３４１、リレーレンズ３４３、および反射ミラー３４２，３４４を備え、色分離光学系３３で分離されたＲ光をＲ光用の液晶ライトバルブ３５１Ｒまで導く機能を有する。なお、光学ユニット３は、リレー光学系３４がＲ光を導く構成としているが、これに限らず、例えば、Ｂ光を導く構成としてもよい。
【００３２】
電気光学装置３５は、光変調装置としての液晶ライトバルブ３５１および色合成光学装置としてクロスダイクロイックプリズム３５２を備え、色分離光学系３３で分離された各色光を画像情報に応じて変調する。
【００３３】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、およびその両面に配置された入射側偏光板、射出側偏光板を有している。
【００３４】
液晶ライトバルブ３５１は、図示しない微小画素がマトリクス状に形成された矩形状の画素領域を有し、各画素が表示画像信号に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００３５】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００３６】
投写レンズ３６は、複数のレンズを組み合わせた組レンズとして構成され、液晶ライトバルブ３５１にて変調され、クロスダイクロイックプリズム３５２にて合成された光をスクリーン上に拡大投写する。
【００３７】
光学部品用筐体３７は、詳細な説明は省略するが、前述した光学部品３１〜３６を光路上の所定位置に配置する。また、光学部品用筐体３７には、光源装置３１を位置決めするために、光源装置３１の突起部３１５１が挿入される位置決め部３７１（図５参照）が形成されている。
【００３８】
電源装置４は、詳しい図示は省略するが、電源ブロックおよび光源装置３１を駆動する光源駆動ブロックを備え、制御部および光源３１１等の電子部品に電力を供給する。
【００３９】
光源駆動ブロックは、図２に示すように、ケーブルＣＡを介して光学部品用筐体３７に配置される出力端子４１を備えている。
出力端子４１は、詳細な図は省略するが、２芯の接続部を有するコネクターとして構成され、この２芯の接続部のそれぞれの一端がケーブルＣＡに接続され、それぞれの他端が上方に露出して光学部品用筐体３７に固定されている。光源装置３１は、入力端子３１４がこの出力端子４１に接続されて電力が供給される。
【００４０】
〔蓋ユニット近傍の構造〕
ここで、蓋ユニット５近傍の構造について、詳細に説明する。
先ず、蓋ユニット５が閉塞する交換用開口部８近傍のアッパーケース２１について詳細に説明する。
図３は、アッパーケース２１の斜視図であり、交換用開口部８近傍の図である。
アッパーケース２１には、図３に示すように、上側後方の角部（−Ｘ側）に、凹部（蓋配置用凹部７）が形成されている。交換用開口部８は、この蓋配置用凹部７の上側の面に形成されている。交換用開口部８は、蓋ユニット５が蓋配置用凹部７に装着されることによって閉塞される。
【００４１】
蓋配置用凹部７は、図３に示すように、上面２１Ｂに対して窪む上面側凹部７１、背面２１Ｅに対して窪む背面側凹部７２、および側面２１Ｃに対して窪む側面側凹部７３を有している。
背面側凹部７２には、＋Ｘ側端部近傍、および−Ｘ側端部近傍に、それぞれＹ方向に貫通する係合用孔７２１，７２２が形成されている。また、背面側凹部７２には、係合用孔７２２の＋Ｘ側に周囲より窪む凹部が形成されており、この凹部の中央部には、ネジ穴７２３が設けられている。
【００４２】
交換用開口部８は、光源装置３１が挿入される大きさに形成され、この交換用開口部８の縁部には、内部に向けて突出する壁部８Ａが形成されている。
そして、＋Ｙ側の壁部８Ａの下方側には、Ｘ方向における交換用開口部８の略中央に形成された切り欠き部８１、および切り欠き部８１の−Ｘ方向に形成された切り欠き部８２が設けられている。
【００４３】
次に、蓋ユニット５について、詳細に説明する。
図４は、蓋ユニット５を内面側から見た斜視図である。
蓋ユニット５は、図４に示すように、蓋体９および付勢部材１０を備えている。
蓋体９は、アッパーケース２１の蓋配置用凹部７に嵌合するように形成され、蓋体９の外面は、アッパーケース２１の上面２１Ｂ、側面２１Ｃおよび背面２１Ｅに倣うように形成されている。
【００４４】
蓋体９は、蓋配置用凹部７の上面側凹部７１、背面側凹部７２、および側面側凹部７３にそれぞれ対向する内面９１，９２，９３（図４参照）を有している。
そして、蓋体９には、図４に示すように、内面９１から突出する略Ｕ字状のリブ９１１が立設されている。このリブ９１１は、内面９１の＋Ｘ側端部近傍、＋Ｙ側端部近傍、および−Ｘ側の端部近傍に形成されている。リブ９１１は、蓋ユニット５がアッパーケース２１に装着された際に、壁部８Ａの内側に位置することとなり、蓋ユニット５がアッパーケース２１に対して所定以上ずれないように蓋ユニット５の移動を規制する機能を有している。
【００４５】
＋Ｙ側端部近傍のリブ９１１には、＋Ｙ向けて突出する２つの係合用突起部９１１１，９１１２が形成されている。係合用突起部９１１１，９１１２は、アッパーケース２１の切り欠き部８１，８２にそれぞれ対応した位置に形成され、蓋ユニット５がアッパーケース２１に装着される際に、切り欠き部８１，８２に係合する。
【００４６】
また、蓋体９には、内面９１から突出する突起部９１２、および規制用突起部９１３が形成されている。
突起部９１２は、図４に示すように、＋Ｘ側端部近傍のリブ９１１の−Ｘ側に設けられており、蓋体９に対して付勢部材１０が位置決め固定されるよう２つ設けられている。付勢部材１０は、後述する第１の脚部１４の孔（図示省略）にこの突起部９１２が挿通された後、先端部が溶融されて蓋体９に固定される。
【００４７】
規制用突起部９１３は、図４に示すように、突起部９１２の−Ｘ側に設けられており、−Ｚ方向から見てＴ字状に形成されている。
図５は、光源装置３１近傍のプロジェクター１を模式的に示す断面図であり、−Ｙ方向から見た図である。
規制用突起部９１３は、光源装置３１が収納される際に、付勢部材１０の付勢力によって光源装置３１の着脱方向に対して傾斜する光源装置３１に当接し、光源装置３１の着脱方向に対する光源装置３１の傾斜角度を規制するように形成されている。また、規制用突起部９１３は、図５に示すように、光源装置３１を介して出力端子４１に１対向する位置に設けられている。
【００４８】
図４に戻って、蓋体９には、内面９２から＋Ｙ方向に突出する係合用突起部９２１，９２２、および筒状部９２３が形成されている。
係合用突起部９２１，９２２は、アッパーケース２１の係合用孔７２１，７２２にそれぞれ対応した位置に形成され、蓋ユニット５がアッパーケース２１に装着される際に、係合用孔７２１，７２２にそれぞれ係合する。
【００４９】
筒状部９２３は、係合用突起部９２２の＋Ｘ側に設けられており、中央には、アッパーケース２１のネジ穴７２３（図３参照）に対応し、ネジＳＣが挿通される貫通孔が形成されている。なお、貫通孔に挿通されたネジＳＣは、止め輪等によって、筒状部９２３から脱落しないように構成されている。
【００５０】
また、蓋体９には、図４に示すように、係合用突起部９２２と筒状部９２３との間に設けられ、内面９１，９２から突出する突起部９２４が形成されている。
突起部９２４は、蓋ユニット５がアッパーケース２１に装着された際に、図示しない検出スイッチを押圧するように形成されている。
【００５１】
次に、付勢部材１０について、詳細に説明する。
付勢部材１０は、入力端子３１４と出力端子４１とが接続される力より強い力で光源装置３１を付勢可能に形成されている。付勢部材１０は、ステンレス等の金属製で、平面視矩形の板材から折り曲げ加工されて形成されている。付勢部材１０は、図４に示すように、中央部に位置する基部１１、基部１１の両端から同一方向に屈曲された一対の腕部１２，１３、および腕部１２，１３の端部からそれぞれ基部１１に略平行となるように屈曲された第１の脚部１４、第２の脚部１５を有している。
【００５２】
付勢部材１０は、図４に示すように、基部１１が−Ｚ側に凸となり、第２の脚部１５が第１の脚部１４の＋Ｙ側に位置するように、前述した熱カシメによって蓋体９に取り付けられる。付勢部材１０は、この蓋体９に取り付けられた状態で、第１の脚部１４が蓋体９に固定された片持ちで支持された状態となる。そして、付勢部材１０は、図５に示すように、光源装置３１を介して光学部品用筐体３７の位置決め部３７１に対向する位置に配置される。
【００５３】
蓋ユニット５は、光源装置３１が交換用開口部８から挿入された後、蓋配置用凹部７に沿って−Ｙ方向から＋Ｙ方向にスライド移動される。そして、蓋ユニット５は、蓋体９が付勢部材１０の付勢力に抗してアッパーケース２１に係合される。具体的に、蓋体９は、前述したように、係合用突起部９１１１，９１１２が切り欠き部８１，８２に、係合用突起部９２１，９２２が係合用孔７２１，７２２にそれぞれ係合する。そして、蓋ユニット５は、筒状部９２３に配置されたネジＳＣがアッパーケース２１のネジ穴７２３に螺合されてアッパーケース２１に固定される。
【００５４】
蓋ユニット５がスライド移動される過程において、付勢部材１０は、基部１１が光源用筐体３１５に当接して光源装置３１を付勢する。付勢部材１０は、光源装置３１を付勢する際に、付勢する反力によって第２の脚部１５が内面９１に当接し、第１の脚部１４および第２の脚部１５でこの反力を受けることとなる。
そして、光源装置３１は、付勢部材１０に付勢されると共に、前述したように規制用突起部９１３によって傾斜が抑えられ、光学部品用筐体３７の所定の位置に収納される。
【００５５】
一方、蓋ユニット５は、ネジ穴７２３に螺合されたネジＳＣが緩められた後、蓋ユニット５が−Ｙ方向にスライド移動されると、付勢部材１０の反力によって光源装置３１から離間する方向に移動する。そして、光源装置３１を光学部品用筐体３７から取り出すことが可能となる。
【００５６】
以上説明したように、本実施形態のプロジェクター１によれば、以下の効果を得ることができる。
（１）光源装置３１を交換用開口部８から挿入した後、蓋ユニット５でこの交換用開口部８を閉塞すること、つまり蓋ユニット５を外装筐体２に装着することで、光源装置３１を光学部品用筐体３７の所定位置に配置させることが可能となる。よって、ネジによって光源装置３１を光学部品用筐体３７に固定した後、蓋部材を外装筐体２に装着する構成に比べ、光源装置３１にネジ固定部を設ける必要がなく、プロジェクター１の小型化が可能となる。
また、光源装置３１の交換作業の簡素化が可能となり、利便性の向上が図れると共に、ネジの締め忘れによる入力端子３１４と出力端子４１との不安定な接続が抑制され、プロジェクター１は、安定した投写が可能となる。
【００５７】
（２）光源装置３１を交換用開口部８から挿入した後、蓋ユニット５を外装筐体２に装着すると、第１の脚部１４が蓋体９に固定されている付勢部材１０は、基部１１が光源装置３１に当接し、その反力で第２の脚部１５が蓋体９に当接して光源装置３１を付勢することとなる。よって、簡素な構成で付勢部材１０を形成し、光源装置３１を付勢することが可能となる。
また、付勢部材１０が光源装置３１を付勢することに伴う反力を第１の脚部１４および第２の脚部１５で受けることができるので、反力の分散が可能となり、蓋体９は、変形が抑制される。よって、光源装置３１の位置を安定して維持することが可能となる。
【００５８】
（３）蓋体９には、規制用突起部９１３が形成されているので、光源装置３１は、付勢部材１０に付勢されることによって着脱方向に対して傾斜した際にも、規制用突起部９１３が当接し、それ以上の傾斜が規制される。よって、蓋ユニット５によって光源装置３１をバランスよく押し、姿勢を安定させて確実に光学部品用筐体３７に収納させることが可能となる。
【００５９】
（４）規制用突起部９１３は、光源装置３１を介して出力端子４１に対向する位置に設けられている。これによって、出力端子４１は、光源装置３１に加わる規制用突起部９１３からの押圧力の延長上に位置することとなる。よって、光源装置３１が収納される際に、光源装置３１には、蓋ユニット５に押される力が効率的に入力端子３１４と出力端子４１とが接続される力として伝達される。したがって、蓋ユニット５を装着する力を有効に利用して、入力端子３１４と出力端子４１とを確実に接続させることが可能となる。
【００６０】
（５）付勢部材１０は、光源装置３１を介して位置決め部３７１に対向する位置に設けられている。これによって、位置決め部３７１は、光源装置３１に加わる付勢部材１０からの付勢力の延長上に位置することとなる。よって、光源装置３１が収納される際に、光源装置３１には、蓋ユニット５に押される力が効率的に位置決め部３７１に位置決めされる力として伝達される。したがって、蓋ユニット５を装着する力を有効に利用して光源装置３１を位置決め部３７１に案内し、滑らかに光学部品用筐体３７の所定の位置に収納することが可能となる。
【００６１】
（変形例）
なお、前記実施形態は、以下のように変更してもよい。
前記実施形態では、光源装置３１を介して、規制用突起部９１３と入力端子３１４とが対向する位置に配置され、付勢部材１０と位置決め部３７１とが対向する位置に配置されているが、規制用突起部９１３と位置決め部３７１とが対向する位置に配置され、付勢部材１０と入力端子３１４とが対向する位置に配置されるように構成してもよい。
【００６２】
前記実施形態では、蓋配置用凹部７上で蓋ユニット５をＹ方向にスライドさせて外装筐体２に取り付ける構成としていたが、これに限らず、蓋ユニット５をＺ方向に移動させることによって外装筐体２に取り付ける構成としても構わない。
【００６３】
前記実施形態では、付勢部材１０は、熱カシメによって蓋体９に固定されているが、これに限らず、付勢部材１０を蓋体９にネジで固定する構成としても構わない。また、蓋体９に付勢部材１０の第１の脚部１４を挟持する部位を設けて付勢部材１０を蓋体９に固定する構成としても構わない。
【００６４】
前記実施形態のプロジェクター１は、光変調装置として透過型の液晶ライトバルブ３５１を用いているが、反射型液晶ライトバルブ、あるいは、ＤＭＤ（Digital Micromirror Device）、米国テキサスインスツルメント社の商標）等を採用してもよい。また、前記実施形態では、フロント投写型のプロジェクター１の例を挙げたが、スクリーンを備え、このスクリーンの裏面側から投写を行うリアタイプのプロジェクターにも適用可能である。
【００６５】
光源３１１は放電型のランプに限らず、その他の方式のランプや発光ダイオード等の固体光源で構成してもよい。
【符号の説明】
【００６６】
１…プロジェクター、２…外装筐体、３…光学ユニット、４…電源装置、５…蓋ユニット、７…蓋配置用凹部、８…交換用開口部、９…蓋体、１０…付勢部材、１１…基部、１２，１３…腕部、１４…第１の脚部、１５…第２の脚部、２２…ロアーケース、３１…光源装置、３７…光学部品用筐体、４１…出力端子、３１１…光源、３１４…入力端子、３７１…位置決め部、７２１，７２２…係合用孔、９１３…規制用突起部、９２１，９２２…係合用突起部、３１５１…突起部、９１１１，９１１２…係合用突起部。
【図１】
2012173597.tif 000003
【図２】
2012173597.tif 000004
【図３】
2012173597.tif 000005
【図４】
2012173597.tif 000006
【図５】
2012173597.tif 000007